(57)【要約】【課題】展示品を多様な展示態様で展示することが可能な展示用ホルダ及び展示用ホルダセットを提供する。【解決手段】展示用ホルダ１に、垂直に延びた立壁部１１、立壁部１１の上辺から斜め下方へ延びた斜壁部１２、斜壁部１２の下辺から湾曲している係止壁部１３、及び係止壁部１３の先端から全高ｈの１／３の高さ付近まで延びた先端壁部１４を有するホルダ本体１０と、先端壁部１４に形成さた第一連結部２１と、立壁部１１の基端部に形成さた第二連結部２２と、立壁部１１の外側面で第一連結部２１と同じ高さに形成された第一被連結部３１と、第一被連結部３１の高さの二倍よりも高く全高ｈの２／３よりも低い位置に形成された第二被連結部３２と、全高ｈの２／３よりも高い位置に形成された第三被連結部３３とを具備させる。【選択図】図１
2018007698.tif 000002
【特許請求の範囲】
【請求項１】
垂直に延びている平板状の立壁部、該立壁部の上辺から斜め下方へ延びている平板状の斜壁部、該斜壁部の下辺から前記立壁部より遠ざかる方向へ該立壁部の基端と同じ高さの仮想の水平面及び該立壁部と平行な垂直面に接するように湾曲している樋状の係止壁部、及び該係止壁部の先端から前記立壁部の全高の１／３の高さ付近まで垂直に延びている平板状の先端壁部を有するホルダ本体と、
前記先端壁部に断面が溝状又は突状の部位を有するように形成されている第一連結部と、
該第一連結部を上下に反転させた形状で前記立壁部における前記先端壁部よりも低い高さの位置に形成されている第二連結部と、
前記立壁部の前記斜壁部とは反対側の外側面における前記第一連結部と同じ高さで、前記先端壁部を挿入可能に下方へ開放されていると共に前記第一連結部に連結される第一被連結部と、
前記立壁部の前記外側面における前記第一被連結部の高さの二倍よりも高く前記全高の２／３よりも低い位置で、前記第一被連結部と同じ形状に形成されている第二被連結部と、
前記立壁部の前記外側面における前記全高の２／３よりも高く前記第二被連結部と隣接する位置で、前記立壁部の基端部を挿入可能に上方へ開放されていると共に前記第二連結部に連結される第三被連結部と
を具備し、
前記立壁部の延長面と前記斜壁部の延長面とが交わることで形成される直線が延びている方向へ、断面形状が単一であることを特徴とする展示用ホルダ。
【請求項２】
請求項１に記載の展示用ホルダの１０個と、１０個の該展示用ホルダを収納している収納ケースとを具備しており、
第１の展示用ホルダの前記係止壁部の内側には、上下を反転させた第２の展示用ホルダの前記先端壁部が挿入されており、
第３の展示用ホルダの前記立壁部と前記斜壁部の間には、前記第１の展示用ホルダの前記立壁部と前記斜壁部が挿入されており、
上下が反転された第４の展示用ホルダの前記立壁部と前記斜壁部の間には、前記第２の展示用ホルダの前記立壁部と前記斜壁部とが挿入されており、
第５の展示用ホルダの前記立壁部と前記斜壁部とは、前記第１の展示用ホルダの前記立壁部と前記斜壁部との間に挿入されていると共に、前記第５の展示用ホルダの前記先端壁部は、前記第２の展示用ホルダの前記係止壁部の内側に挿入されており、
第６の展示用ホルダの前記立壁部と前記斜壁部とは、前記第５の展示用ホルダの前記立壁部と前記斜壁部の間に挿入されており、
第７の展示用ホルダの前記斜壁部の前面側は、前記第１の展示用ホルダ、前記第５の展示用ホルダ、及び前記第６の展示用ホルダ、の夫々の前記立壁部の基端に接近しており、
上下が反転された第８の展示用ホルダの前記立壁部と前記斜壁部とは、前記第２の展示用ホルダの前記立壁部と前記斜壁部の間に挿入されていると共に、前記第８の展示用ホルダの前記先端壁部は、前記第３の展示用ホルダの前記係止壁部の内側に挿入されており、
上下が反転された第９の展示用ホルダの前記立壁部と前記斜壁部とは、前記第８の展示用ホルダの前記立壁部と前記斜壁部の間に挿入されており、
上下が反転された第１０の展示用ホルダの前記斜壁部の前面側は、前記第２の展示用ホルダ、前記第８の展示用ホルダ、及び前記第９の展示用ホルダ、の夫々の前記立壁部の基端に接近している状態で、
前記収納ケースに収納されていることを特徴とする展示用ホルダセット。
【発明の詳細な説明】
【技術分野】
【０００１】
本発明は、サイフやポーチ、携帯端末、等の展示品を斜めに立てかけて展示するための展示用ホルダ及び展示用ホルダセットに関するものである。
【背景技術】
【０００２】
サイフやポーチ、携帯端末、等の展示品を展示する際に、展示品を斜めに立てかけることで見易くすることが行われている。展示品を斜めに立てかけるためのホルダとして、展示品が立てかけられ上端で連続している二つの斜面と、一方の斜面の下端に連続している平板面と、平板面に形成されている複数の横溝と、を備えたものが提案されている（特許文献１）。この特許文献１の技術によれば、平板面とは反対側の斜面の下端を、別のホルダの平板面に形成されている横溝に挿入することで、複数のホルダを前後方向へ決められたピッチで順次連結することができる。
【０００３】
しかしながら、特許文献１の技術では、連結された複数のホルダに夫々展示品を支持させた場合、複数の展示品が単に決められたピッチで並ぶだけであるため、展示品の展示態様を変化させることが困難であった。
【先行技術文献】
【特許文献】
【０００４】
【特許文献１】特開２００４−８４２４号公報
【発明の概要】
【発明が解決しようとする課題】
【０００５】
そこで、本発明は上記の実情に鑑み、展示品を多様な展示態様で展示することが可能な展示用ホルダ及び展示用ホルダセットの提供を課題とするものである。
【課題を解決するための手段】
【０００６】
上記の課題を解決するために、本発明に係る展示用ホルダは、「垂直に延びている平板状の立壁部、該立壁部の上辺から斜め下方へ延びている平板状の斜壁部、該斜壁部の下辺から前記立壁部より遠ざかる方向へ該立壁部の基端と同じ高さの仮想の水平面及び該立壁部と平行な垂直面に接するように湾曲している樋状の係止壁部、及び該係止壁部の先端から前記立壁部の全高の１／３の高さ付近まで垂直に延びている平板状の先端壁部を有するホルダ本体と、前記先端壁部に断面が溝状又は突状の部位を有するように形成されている第一連結部と、該第一連結部を上下に反転させた形状で前記立壁部における前記先端壁部よりも低い高さの位置に形成されている第二連結部と、前記立壁部の前記斜壁部とは反対側の外側面における前記第一連結部と同じ高さで、前記先端壁部を挿入可能に下方へ開放されていると共に前記第一連結部に連結される第一被連結部と、前記立壁部の前記外側面における前記第一被連結部の高さの二倍よりも高く前記全高の２／３よりも低い位置で、前記第一被連結部と同じ形状に形成されている第二被連結部と、前記立壁部の前記外側面における前記全高の２／３よりも高く前記第二被連結部と隣接する位置で、前記立壁部の基端部を挿入可能に上方へ開放されていると共に前記第二連結部に連結される第三被連結部とを具備し、前記立壁部の延長面と前記斜壁部の延長面とが交わることで形成される直線が延びている方向へ、断面形状が単一である」ことを特徴とする。
【０００７】
ここで、第一連結部における「溝状又は突状」の部位の形状としては、「断面が円弧状のもの」、「断面が円柱状のもの」、「断面が三角形状のもの」、「断面が多角形状のもの」、を例示することができる。
【０００８】
また、連結部（第一連結部、第二連結部）と、被連結部（第一被連結部、第二被連結部、第三被連結部）との関係としては、「展示用ホルダにおける断面形状が単一に延びている方向からのみ互いに連結可能とされているもの」、「展示用ホルダにおける断面形状が単一に延びている方向、及び、被連結部における下方又は上方に開放されている方向、から互いに連結可能とされているもの」、を例示することができる。
【０００９】
更に、先端壁部における「全高の１／３の高さ付近」とは、全高の５／１８よりも高く全高の１／３よりも低い間の高さのことである。全高の５／１８の高さよりも低いと、第一連結部の上下方向の長さが短くなり過ぎることで、第一被連結部や第二被連結部に連結させた時に、連結が不安定となるためであり、全高の１／３の高さよりも高いと、先端壁部が高くなり過ぎることで係止壁部及び斜壁部に支持されている展示品の下部が見え難くなるためである。
【００１０】
本発明の展示用ホルダは、サイフやポーチ、携帯端末、等の展示品の下辺を、樋状の係止壁部内に上方から挿入すると共に、展示品の背面を斜壁部に当接させることで、展示品を斜めにした状態で支持することができる。
【００１１】
また、展示用ホルダは、第一連結部を、別の展示用ホルダの第一被連結部に連結させると、第一被連結部が第一連結部と同じ高さに形成されているため、互いの展示用ホルダを同じ高さで前後方向へ連結させることができる。従って、複数の展示用ホルダにおいて、第一連結部と第一被連結部とを連結させた状態で、夫々の展示用ホルダに展示品を支持させることで、同じ高さで前後方向へ等間隔で並んだ状態に展示することができる。
【００１２】
また、第一連結部の下方の係止壁部は、先端壁部側から下方へ向かうほど後方へ移動するように湾曲しているため、第一被連結部の上方に形成されている第二被連結部に、別の展示用ホルダの第一連結部を連結させても、係止壁部が湾曲していることで第一被連結部に当接することはなく、第一連結部を第二被連結部に連結させることができる。そして、第一連結部を第二被連結部に連結させると、第一連結部が立壁部の全高の１／３付近の高さに形成されていると共に、第二被連結部が第一被連結部（第一連結部）の二倍よりも高く立壁部の全高の２／３よりも低い位置に形成されていることから、後側の展示用ホルダが全高の約１／３の高さの位置となる。従って、前側の展示用ホルダの第二被連結部に、後側の展示用ホルダの第一連結部を連結させた状態で、夫々の展示用ホルダに展示品を支持させると、後側の展示品を前側よりも立壁部の全高の約１／３高い位置に展示することができ、後側の展示品を見え易く展示することができる。
【００１３】
更に、第二連結部を、別の展示用ホルダの第三被連結部に連結させると、第三被連結部が、立壁部の全高の２／３よりも高く第二被連結部と隣接する高さに形成されているため、上側の展示用ホルダが、下側の展示用ホルダの直上で立壁部の全高の約２／３の高さの位置となる。従って、複数の展示用ホルダにおいて、第二連結部と第三被連結部とを連結させた状態で、夫々の展示用ホルダに展示品を支持させると、複数の展示品を、前後方向の位置が同じで異なる高さに展示することができる。
【００１４】
また、前側の展示用ホルダの第一被連結部に、後側の展示用ホルダの第一連結部を連結させた上で、後側の展示用ホルダの第三被連結部に、三番目の展示用ホルダの第二被連結部を連結させると、三番目の展示用ホルダが、前側や下側の展示用ホルダに対して、立壁部の全高の約２／３の高さの位置となる。従って、前側の展示用ホルダと後側の三番目の展示用ホルダに展示品を支持させると、後側の展示品を前側よりも立壁部の全高の約２／３高い位置に展示することができ、後側の展示品をより見え易く展示することができる。
【００１５】
本発明によれば、上記のように、複数の展示用ホルダにおいて、第一連結部及び第二連結部と、第一被連結部、第二被連結部、及び第三被連結部と、を適宜組み合わせて連結することにより、展示用ホルダを様々な高さに位置させることができるため、組み合わせた展示用ホルダの夫々に展示品を支持させることで、複数の展示品を、平面的に配置したり、立体的に配置したりすることができ、展示品を多様な展示態様で展示することができると共に、展示品の展示効果を高めることができる。
【００１６】
本発明に係る展示用ホルダセットは、「請求項１に記載の展示用ホルダの１０個と、１０個の該展示用ホルダを収納している収納ケースとを具備しており、第１の展示用ホルダの前記係止壁部の内側には、上下を反転させた第２の展示用ホルダの前記先端壁部が挿入されており、第３の展示用ホルダの前記立壁部と前記斜壁部の間には、前記第１の展示用ホルダの前記立壁部と前記斜壁部が挿入されており、上下が反転された第４の展示用ホルダの前記立壁部と前記斜壁部の間には、前記第２の展示用ホルダの前記立壁部と前記斜壁部とが挿入されており、第５の展示用ホルダの前記立壁部と前記斜壁部とは、前記第１の展示用ホルダの前記立壁部と前記斜壁部との間に挿入されていると共に、前記第５の展示用ホルダの前記先端壁部は、前記第２の展示用ホルダの前記係止壁部の内側に挿入されており、第６の展示用ホルダの前記立壁部と前記斜壁部とは、前記第５の展示用ホルダの前記立壁部と前記斜壁部の間に挿入されており、第７の展示用ホルダの前記斜壁部の前面側は、前記第１の展示用ホルダ、前記第５の展示用ホルダ、及び前記第６の展示用ホルダ、の夫々の前記立壁部の基端に接近しており、上下が反転された第８の展示用ホルダの前記立壁部と前記斜壁部とは、前記第２の展示用ホルダの前記立壁部と前記斜壁部の間に挿入されていると共に、前記第８の展示用ホルダの前記先端壁部は、前記第３の展示用ホルダの前記係止壁部の内側に挿入されており、上下が反転された第９の展示用ホルダの前記立壁部と前記斜壁部とは、前記第８の展示用ホルダの前記立壁部と前記斜壁部の間に挿入されており、上下が反転された第１０の展示用ホルダの前記斜壁部の前面側は、前記第２の展示用ホルダ、前記第８の展示用ホルダ、及び前記第９の展示用ホルダ、の夫々の前記立壁部の基端に接近している状態で、前記収納ケースに収納されている」ことを特徴とする。
【００１７】
これにより、１０個の展示用ホルダを、可及的に狭い範囲に収納することが可能となり、１０個の展示用ホルダを収納する収納ケースを可及的に小さくすることができる。従って、１０個の展示用ホルダを一組としている展示用ホルダセットの容積を、小さく収めることができるため、展示用ホルダの搬送効率を高めることができ、より多くの展示用ホルダを提供し易くすることができる。
【発明の効果】
【００１８】
以上のように、本発明の効果として、展示品を多様な展示態様で展示することが可能な展示用ホルダ、及び展示用ホルダセットを提供することができる。
【図面の簡単な説明】
【００１９】
【図１】（ａ）は本発明の一実施形態である展示用ホルダの右側面図、（ｂ）は展示用ホルダの正面斜視図、（ｃ）は展示用ホルダの背面斜視図である。
【図２】展示品と共に示す展示用ホルダの斜視図である。
【図３】展示用ホルダの連結方法を示す説明図である。
【図４】（ａ）第一連結部と第一被連結部を用いて三つの展示用ホルダを前後方向へ連結した状態の斜視図、（ｂ）第二連結部と第三被連結部を用いて三つの展示用ホルダを上下方向へ連結した状態の斜視図である。
【図５】第一連結部、第二連結部、第一被連結部、及び第三被連結部を用いて六つの展示用ホルダを階段状に連結した状態の斜視図。
【図６】第一連結部、第二連結部、第二被連結部、及び第三被連結部を用いて八つの展示用ホルダを図５の例よりも傾斜が緩やかな階段状に連結した状態の斜視図。
【図７】第一連結部と第一被連結部を用いて長手方向へも連結可能な例を示し、（ａ）は長手方向へ並んだ前側の二つの展示用ホルダを後側の一つの展示用ホルダで連結した状態の斜視図、（ｂ）は前側の一つの展示用ホルダにより長手方向へ並んだ後側の二つの展示用ホルダを連結した状態の斜視図。
【図８】前側の展示用ホルダの第三被連結部に、上下反転させた後側の展示用ホルダの第一連結部を連結した状態の斜視図。
【図９】展示用ホルダセットにおける１０個の展示用ホルダの収納状態を示す説明図。
【発明を実施するための形態】
【００２０】
本発明の一実施形態である展示用ホルダ１について、図１乃至図３を参照して詳細に説明する。展示用ホルダ１は、ホルダ本体１０と、ホルダ本体１０に溝状の部位を有するように形成されている複数の連結部２０と、ホルダ本体１０に突状の部位を有するように形成されており連結部２０に連結される複数の被連結部３０と、を備えている。本実施形態の展示用ホルダ１は、サイフやポーチ、携帯端末、等の展示品２を、ホルダ本体１０に斜めに立てかけた状態で支持することができる（図２を参照）。また、展示用ホルダ１は、別々の展示用ホルダ１の連結部２０と被連結部３０とを連結することで、互いに組み合わせることができるものである。
【００２１】
ホルダ本体１０は、垂直に延びている平板状の立壁部１１と、立壁部１１の上辺から斜め下方へ延びている平板状の斜壁部１２と、斜壁部１２の下辺から立壁部１１より遠ざかる方向へ立壁部１１の基端と同じ高さの水平面及び立壁部１１と平行な垂直面に接するように湾曲している樋状の係止壁部１３と、及び係止壁部１３の先端から立壁部１１の全高ｈ（図１（ａ）を参照）の１／３の高さ付近（全高ｈの５／１８よりも高く全高ｈの１／３よりも低い高さ）まで垂直に延びている平板状の先端壁部１４と、を有している。
【００２２】
ホルダ本体１０は、立壁部１１から先端壁部１４までが、略一定の厚さで連続するように形成されている。また、ホルダ本体１０は、立壁部１１と斜壁部１２との境が、係止壁部１３よりも大きい曲率で湾曲している。ホルダ本体１０の斜壁部１２は、水平面に対して、５９度〜６３度の範囲内の角度（本実施形態では、６１度の角度）で傾斜している。ホルダ本体１０は、立壁部１１の延長面と斜壁部１２の延長面とが交わることで形成される直線Ｎ（図１（ａ）を参照）が延びている方向へ、断面形状が単一である。
【００２３】
以下では、直線Ｎが延びている方向を、長手方向又は左右方向と称する。また、立壁部１１に対して先端壁部１４側を前方とし、立壁部１１と先端壁部１４とが並んでいる方向を前後方向と称する。また、立壁部１１の全高ｈ（単に、全高ｈと称す）とは、図１（ａ）に示すように、立壁部１１の基端から、斜壁部１２との境において湾曲して最も高くなっている部位までのことである。
【００２４】
複数の連結部２０は、第一連結部２１と第二連結部２２の二つである。第一連結部２１は、ホルダ本体１０の先端壁部１４に形成されている。第二連結部２２は、第一連結部２１を上下に反転させた形状で立壁部１１における第一連結部２１よりも低い高さの位置に形成されている。第一連結部２１及び第二連結部２２の各連結部２０は、夫々が形成されている先端壁部１４及び立壁部１１における後方を向いている面に、断面が円弧状に前方へ窪んでいると共に、ホルダ本体１０の長手方向へ全長に亘って延びている溝状の部位を有している。第一連結部２１における先端壁部１４の上端から溝状の部位までの高さと、第二連結部２２における立壁部１１の基端から溝状の部位までの高さは、同じである。
【００２５】
また、第一連結部２１における溝状の部位よりも上側の部位の厚さと、第二連結部２２における溝状の部位よりも下側の部位の厚さは、ホルダ本体１０における残りの部位の厚さよりも薄く形成されている。
【００２６】
複数の被連結部３０は、第一被連結部３１と第二被連結部３２と第三被連結部３３の三つであり、立壁部１１において、斜壁部１２とは反対側となる後方を向いている外側面に形成されている。第一被連結部３１は、第一連結部２１と同じ高さの位置で、先端壁部１４を挿入可能に下方へ開放されていると共に第一連結部２１が連結される形状に形成されている。第二被連結部３２は、第一被連結部３１の高さの二倍よりも高く全高ｈの２／３よりも低い位置で、第一被連結部３１と同じ形状に形成されている。第三被連結部３３は、全高ｈの２／３よりも高く第二被連結部３２と隣接する位置で、立壁部１１の基端部を挿入可能に上方へ開放されていると共に第二連結部２２を連結可能な形状に形成されている。第三被連結部３３は、第二被連結部３２を上下反転させた形状に形成されている。
【００２７】
更に詳述すると、各被連結部３０は、立壁部１１の外側面から後方へ突出した後に、立壁部１１との間に連結部２０における溝状の部位よりも先端側が挿入される空間をあけて、下方又は上方へ延出した逆Ｌ字状又はＬ字状（以下、単にＬ字状と称す）で、長手方向の全長に亘って延びている。被連結部３０は、Ｌ字状の部位によって、立壁部１１との間に、下方又は上方へ開放され、先端壁部１４又は立壁部１１の基端部が挿入される隙間を有している。また、被連結部３０は、Ｌ字状の先端に、連結部２０における溝状の部位よりも曲率の大きい断面が円弧で膨出し、長手方向の全長に亘って延びている円柱状（突状）の部位を有している。被連結部３０は、円柱状の部位と立壁部１１との間の間隔が、連結部２０における溝状の部位の厚さよりも若干広く形成されている。
【００２８】
被連結部３０は、立壁部１１との間の空間内に、連結部２０の先端側が挿入されていると共に、連結部２０の溝状の部位の内部に、円柱状の部位が挿入されている状態とすることにより、連結部２０と連結された状態となる。連結部２０と被連結部３０との連結は、被連結部３０における下方又は上方へ開放されている空間に対して、その開放されている方向からは被連結部３０の円柱状の部位の存在により、連結部２０の先端側を挿入することができず、長手方向からのみ挿入することができる。つまり、連結部２０と被連結部３０は、長手方向からスライドさせるように挿入することによってのみ連結可能に形成されている（図３を参照）。
【００２９】
本実施形態の展示用ホルダ１は、透明な合成樹脂により形成されている。また、本実施形態では、ＭサイズとＬサイズの二種類の大きさの展示用ホルダ１を用意している。Ｍサイズの展示用ホルダ１の大きさは、ホルダ本体１０の厚さを２ｍｍ、前後方向を６２ｍｍ、全高（上下方向）を５６ｍｍ、左右方向（長手方向）を５０ｍｍとしている。また、Ｌサイズの展示用ホルダ１の大きさは、ホルダ本体１０の厚さを２ｍｍ、前後方向を７７ｍｍ、全高を７０ｍｍ、左右方向（長手方向）を７０ｍｍ、としている。
【００３０】
次に、複数の展示用ホルダ１の組み合わせについて、図４乃至図８を参照して詳細に説明する。複数の展示用ホルダ１は、様々な組み合わせパターンで連結することができる。
［パターンａ］
このパターンは、複数の展示用ホルダ１を、第一連結部２１と第一被連結部３１とを用いて連結したものである。例えば、三つの展示用ホルダ１を用いた場合、一番目の展示用ホルダ１ａの第一被連結部３１に、二番目の展示用ホルダ１ｂの第一連結部２１を連結し、二番目の展示用ホルダ１ｂの第一被連結部３１に、三番目の展示用ホルダ１ｃの第一連結部２１を連結する（図４（ａ）を参照）。これにより、夫々の展示用ホルダ１の第一被連結部３１と第一連結部２１とが同じ高さに形成されているため、三つの展示用ホルダ１が、同じ高さで前後方向に並んだ状態となる。このパターンａにおいて、各展示用ホルダ１に夫々展示品２を支持させることで、各展示品２を同じ高さで前後方向へ等間隔で並んだ状態で展示することができる。また、複数の展示用ホルダ１が前後方向へ連結されることで、前後方向が長くなるため、展示用ホルダ１を後方へ倒れ難いものとすることができる。
【００３１】
［パターンｂ］
このパターンは、複数の展示用ホルダ１を、第二連結部２２と第三被連結部３３とを用いて連結したものである。例えば、三つの展示用ホルダ１を用いた場合、一番目の展示用ホルダ１ａの第三被連結部３３に、二番目の展示用ホルダ１ｂの第二連結部２２を連結し、二番目の展示用ホルダ１ｂの第三被連結部３３に、三番目の展示用ホルダ１ｃの第二連結部２２を連結する（図４（ｂ）を参照）。これにより、三つの展示用ホルダ１が上下方向に並んだ状態となる。展示用ホルダ１は、第三被連結部３３が全高ｈの２／３よりも高く第二被連結部３２と隣接する位置に形成されていることから、上側の展示用ホルダ１は下側の展示用ホルダ１に対して全高ｈの２／３程高い位置となる。このパターンｂにおいて、三番目の展示用ホルダ１ｃに展示品２を支持させることで、展示品２をより高い位置で展示することができる。
【００３２】
［パターンｃ］
このパターンは、複数の展示用ホルダ１を、第一連結部２１、第二連結部２２、第一被連結部３１、及び第三被連結部３３を用いて連結したものであり、上記のパターンａとパターンｂとを組み合わせたものである。例えば、六つの展示用ホルダ１を用いた場合、まず、パターンａと同様に、一番目の展示用ホルダ１ａの第一被連結部３１に、二番目の展示用ホルダ１ｂの第一連結部２１を連結し、二番目の展示用ホルダ１ｂの第一被連結部３１に、三番目の展示用ホルダ１ｃの第一連結部２１を連結する。次に、二番目の展示用ホルダ１ｂの第三被連結部３３に、四番目の展示用ホルダ１ｄの第二連結部２２を連結する。続いて、五番目の展示用ホルダ１ｅの第一連結部２１を、四番目の展示用ホルダ１ｄの第一被連結部３１に、五番目の展示用ホルダ１ｅの第二連結部２２を、三番目の展示用ホルダ１ｃの第三被連結部３３に、夫々連結する。そして、五番目の展示用ホルダ１ｅの第三被連結部３３に、六番目の展示用ホルダ１ｆの第二連結部２２を連結する（図５を参照）。
【００３３】
これにより、四番目〜六番目の展示用ホルダ１は、第二連結部２２が下側の展示用ホルダ１の第三被連結部３３に連結されていることから、パターンｂと同様に、下側の展示用ホルダ１に対して全高ｈの約２／３高い位置となるため、一番目の展示用ホルダ１ａの後側となる四番目の展示用ホルダ１ｄは全高ｈの約２／３の高さに、その後側となる六番目の展示用ホルダ１ｆは五番目の展示用ホルダ１ｅを介することで全高ｈの約４／３の高さに、夫々位置している。このパターンｃにおいて、一番目の展示用ホルダ１ａ、四番目の展示用ホルダ１ｄ、及び六番目の展示用ホルダ１ｆに夫々展示品２を支持させると、後側の展示用ホルダ１へ移動するほど、全高ｈの約２／３ずつ高くなるように展示品２を展示することができる。これにより、後側の展示品２をより見え易く展示することができる。
【００３４】
［パターンｄ］
このパターンは、複数の展示用ホルダ１を、第一連結部２１、第二連結部２２、第二被連結部３２、及び第三被連結部３３を用いて連結したものである。例えば、八つの展示用ホルダ１を用いた場合、一番目の展示用ホルダ１ａの第二被連結部３２に、二番面の展示用ホルダ１ｂの第一連結部２１を連結すると共に、二番面の展示用ホルダ１ｂの第二被連結部３２に、三番目の展示用ホルダ１ｃの第一連結部２１を連結し、三番目の展示用ホルダ１ｃの第二連結部２２に、四番目の展示用ホルダ１ｄの第三被連結部３３を連結する。更に、三番目の展示用ホルダ１ｃの第二被連結部３２に、五番目の展示用ホルダ１ｅの第一連結部２１を連結すると共に、五番目の展示用ホルダ１ｅの第二被連結部３２に、六番目の展示用ホルダ１ｆの第一連結部２１を連結する。そして、六番目の展示用ホルダ１ｆの第二連結部２２に、七番目の展示用ホルダ１ｇの第三被連結部３３を連結すると共に、七番目の展示用ホルダ１ｇの第二連結部２２に、八番目の展示用ホルダ１ｈの第三被連結部３３を連結する（図６を参照）。
【００３５】
これにより、二番目の展示用ホルダ１ｂは、全高ｈの１／３付近の高さの第一連結部２１を、全高ｈの２／３付近の高さの第二被連結部３２に連結していることから、一番目の展示用ホルダ１ａに対して全高ｈの約１／３高い位置となる。また、三番目の展示用ホルダ１ｃは、第一連結部２１を二番目の展示用ホルダ１ｂの第二被連結部３２に連結していることから、上記と同様の理由により、二番目の展示用ホルダ１ｂに対して全高ｈの約１／３高い位置となり、一番目の展示用ホルダ１ａに対しては全高ｈの約２／３高い位置となる。そして、上記と同様に、五番目の展示用ホルダ１ｅは、三番目の展示用ホルダ１ｃの第二被連結部３２に第一連結部２１を連結しているため、三番目の展示用ホルダ１ｃに対して全高ｈの約１／３高い位置となり、一番目の展示用ホルダ１ａに対して全高ｈの約３／３高い（略全高ｈと同じ高さの）位置となる。また、六番目の展示用ホルダ１ｆは、五番目の展示用ホルダ１ｅの第二被連結部３２に第一連結部２１を連結しているため、五番目の展示用ホルダ１ｅに対して全高ｈの約１／３高い位置となり、一番目の展示用ホルダ１ａに対して全高ｈの約４／３高い位置となる。
【００３６】
一方、四番目の展示用ホルダ１ｄには、三番目の展示用ホルダ１ｃの第二連結部２２が、全高ｈの約２／３の高さの位置にある第三被連結部３３に連結されており、三番目の展示用ホルダ１ｃは上記のように一番目の展示用ホルダ１ａに対して全高ｈの約２／３の高さに位置していることから、一番目の展示用ホルダ１ａと略同じ高さに位置している。従って、四番目の展示用ホルダ１ｄを介して三番目の展示用ホルダ１ｃが、一番目の展示用ホルダ１ａが載置されている載置面に載置されている。また、連結部２０と被連結部３０は、長手方向からのみ連結可能とされているため、連結されている状態では、上下方向への移動を互いに規制している。このことから、二番目の展示用ホルダ１ｂは、前側が一番目の展示用ホルダ１ａを介して、後側が三番目の展示用ホルダ１ｃと四番目の展示用ホルダ１ｄとを介して、夫々載置面に載置されている。なお、先端壁部１４の上端は全高ｈの１／３よりも低いため、一番目の展示用ホルダ１ａに対して約１／３の高さに位置している二番目の展示用ホルダ１ｂの立壁部１１の基端と、一番目の展示用ホルダ１ａと同じ高さの四番目の展示用ホルダ１ｄの先端壁部１４の上端とが上下に離れている。
【００３７】
また、七番目の展示用ホルダ１ｇは、下側の八番目の展示用ホルダ１ｈの第三被連結部３３に、第二連結部２２が連結されていることから、上記のパターンｂと同様の理由により、七番目の展示用ホルダ１ｇは第三被連結部３３が、八番目の展示用ホルダ１ｈに対して全高ｈの約４／３の高さに位置している。そして、六番目の展示用ホルダ１ｆは、上記したように一番目の展示用ホルダ１ａに対して全高ｈの約４／３の高さに位置していると共に、第二連結部２２が七番目の展示用ホルダ１ｇの第三被連結部３３に連結されているため、八番目の展示用ホルダ１ｈは一番目の展示用ホルダ１ａと略同じ高さとなる。これにより、六番目の展示用ホルダ１ｆは、七番目の展示用ホルダ１ｇと八番目の展示用ホルダ１ｈとを介して、一番目の展示用ホルダ１ａが載置されている載置面に載置されている。なお、五番目の展示用ホルダ１ｅは、前側が三番目の展示用ホルダ１ｃと四番目の展示用ホルダ１ｄとを介して、後側が六番目の展示用ホルダ１ｆと七番目の展示用ホルダ１ｇと八番目の展示用ホルダ１ｈとを介して、夫々載置面に載置されている。
【００３８】
そして、パターンｄにおいて、一番目の展示用ホルダ１ａ、二番目の展示用ホルダ１ｂ、三番目の展示用ホルダ１ｃ、五番目の展示用ホルダ１ｅ、及び六番目の展示用ホルダ１ｆに、夫々展示品２を支持させると、後側の展示用ホルダ１へ移動するほど、全高ｈの約１／３ずつ高くなるように展示品２を展示することができる。
【００３９】
［パターンｅ］
このパターンは、複数の展示用ホルダ１を、第一連結部２１、及び第一被連結部３１を用いて、前後方向に加えて左右方向（長手方向）にも連結したものである。例えば、三つの展示用ホルダ１を用いた場合、一番目の展示用ホルダ１ａの第一被連結部３１に、二番目の展示用ホルダ１ｂの第一連結部２１を、長手方向の半分だけ連結する。そして、二番目の展示用ホルダ１ｂにおける第一連結部２１の残りの部位に、三番目の展示用ホルダ１ｃの第一被連結部３１を連結し、一番目の展示用ホルダ１ａの長手方向の端部に三番目の展示用ホルダ１ｃの長手方向の端部を当接させる（図７（ａ）を参照）。これにより、一番目の展示用ホルダ１ａと三番目の展示用ホルダ１ｃとが、長手方向へ並んだ状態となるため、一番目の展示用ホルダ１ａと三番目の展示用ホルダ１ｃとを用いることで、一つの展示用ホルダ１を用いた場合よりも長い展示品２を展示することができる。
【００４０】
なお、パターンｅでは、一番目の展示用ホルダ１ａの第一被連結部３１に、二番目の展示用ホルダ１ｂの第一連結部２１を長手方向の半分だけ連結し、三番目の展示用ホルダ１ｃの第一連結部２１を、一番目の展示用ホルダ１ａの第一被連結部３１の残りの部分に連結して、三番目の展示用ホルダ１ｃと二番目の展示用ホルダ１ｂとを互いに当接させるようにしても良い（図７（ｂ）を参照）。これにより、二番目の展示用ホルダ１ｂと三番目の展示用ホルダ１ｃとが、長手方向へ並んだ状態となるため、上記と同様に、より長い展示品を展示することができる。
【００４１】
［パターンｆ］
このパターンは、複数の展示用ホルダ１を、第一連結部２１と第三被連結部３３とを用いて連結したものである。例えば、二つの展示用ホルダ１を用いた場合、一番目の展示用ホルダ１ａの第三被連結部３３に、上下を反転させた二番目の展示用ホルダ１ｂの第一連結部２１を連結する。これにより、後側の二番目の展示用ホルダ１ｂの斜壁部１２が傾斜している向きが、前側の斜壁部１２に対して前後対称の状態となる。このパターンｆにおいて、二番目の展示用ホルダ１ｂの斜壁部１２に、展示品２を支持させると、展示品２の上端面が見えるように展示することができる。
【００４２】
次に、同一サイズ（大きさ）の１０個の展示用ホルダ１を一組とした展示用ホルダセット５について、主に図９を参照して詳細に説明する。展示用ホルダセット５は、同じ大きさの１０個の展示用ホルダ１と、１０個の展示用ホルダ１を収納している収納ケース６と、を備えている。展示用ホルダセット５では、１０個の展示用ホルダ１が、長手方向を同一の方向へ向けられていると共に、半数の５個が残りの５個に対して上下が反転させられている。収納ケース６は、直方体に形成されている。
【００４３】
収納ケース６の内部の大きさは、左右方向が展示用ホルダ１の長手方向（左右方向）と同じ長さであり、前後方向が展示用ホルダ１の前後方向の約２倍の長さであり、上下方向が展示用ホルダ１の全高ｈの約７／３の長さである。本実施形態では、展示用ホルダ１の大きさがＭサイズの時の収納ケース６の内部の大きさを、前後方向を１２０ｍｍ、上下方向を１３０ｍｍ、左右方向を５０ｍｍ、としている。また、展示用ホルダ１の大きさがＬサイズの時の収納ケース６の内部の大きさを、前後方向を１５０ｍｍ、上下方向を１６０ｍｍ、左右方向を７０ｍｍ、としている。
【００４４】
１０個の展示用ホルダ１は、以下のような状態で収納ケース６に収納されている。ここでは、１０個の各展示用ホルダ１を、第１の展示用ホルダ１−１、第２の展示用ホルダ１−２、・・・第１０の展示用ホルダ１−１０、のように区別して説明する。第１の展示用ホルダ１−１の係止壁部１３の内側には、上下を反転させた第２の展示用ホルダ１−２の先端壁部１４が挿入されている。第３の展示用ホルダ１−３の立壁部１１と斜壁部１２の間には、第１の展示用ホルダ１−１の立壁部１１と斜壁部１２が挿入されている。また、上下が反転された第４の展示用ホルダ１−４の立壁部１１と斜壁部１２の間には、第２の展示用ホルダ１−２の立壁部１１と斜壁部１２とが挿入されている。
【００４５】
また、第５の展示用ホルダ１−５の立壁部１１と斜壁部１２とは、第１の展示用ホルダ１−１の立壁部１１と斜壁部１２との間に挿入されていると共に、第５の展示用ホルダ１−５の先端壁部１４は、第２の展示用ホルダ１−２の係止壁部１３の内側に挿入されている。第６の展示用ホルダ１−６の立壁部１１と斜壁部１２とは、第５の展示用ホルダ１−５の立壁部１１と斜壁部１２の間に挿入されている。更に、第７の展示用ホルダ１−７の斜壁部１２の前面側は、第１の展示用ホルダ１−１、第５の展示用ホルダ１−５、及び第６の展示用ホルダ１−６、の夫々の立壁部１１の基端に接近している。
【００４６】
また、上下が反転された第８の展示用ホルダ１−８の立壁部１１と斜壁部１２とは、第２の展示用ホルダ１−２の立壁部１１と斜壁部１２の間に挿入されていると共に、第８の展示用ホルダ１−８の先端壁部１４は、第３の展示用ホルダ１−３の係止壁部１３の内側に挿入されている。上下が反転された第９の展示用ホルダ１−９の立壁部１１と斜壁部１２とは、第８の展示用ホルダ１−８の立壁部１１と斜壁部１２の間に挿入されている。また、上下が反転された第１０の展示用ホルダ１−１０の斜壁部１２の前面側は、第２の展示用ホルダ１−２、第８の展示用ホルダ１−８、及び第９の展示用ホルダ１−９、の夫々の立壁部１１の基端に接近している。
【００４７】
そして、第３の展示用ホルダ１−３と第７の展示用ホルダ１−７との夫々の被連結部３０は、収納ケース６の前後方向に離間している一対の内壁のうち、一方（図９において右側）の内壁に当接していると共に、第４の展示用ホルダ１−４と第１０の展示用ホルダ１−１０との夫々の被連結部３０は、収納ケース６の前後方向に離間している一対の内壁のうち、反対側（図９において左側）の内壁に当接している。
【００４８】
また、第７の展示用ホルダ１−７は、収納ケース６の上下方向に離間している一対の内壁のうち、下側の内壁に、立壁部１１の基端が当接していると共に係止壁部１３が接している。また、第１０の展示用ホルダ１−１０は、収納ケース６の上下方向に離間している一対の内壁のうち、上側の内壁に、立壁部１１の基端が当接していると共に係止壁部１３が接している。
【００４９】
更に、１０個の展示用ホルダ１は、長手方向から見た時に（図９に示す状態）、収納ケース６の中心、つまり、四角形の収納ケース６の二つの対角線が交わる交点を中心にして、点対称に配置された状態で、収納ケース６に収納されている。
【００５０】
このように、本実施形態によれば、上記のように、複数の展示用ホルダ１において、第一連結部２１及び第二連結部２２と、第一被連結部３１、第二被連結部３２、及び第三被連結部３３と、を適宜組み合わせて連結することにより、展示用ホルダ１を様々な高さに位置させることができるため、組み合わせた展示用ホルダ１の夫々に展示品２を支持させることで、複数の展示品２を、平面的に配置したり、立体的に配置したりすることができ、展示品２を多様な展示態様で展示することができると共に、展示品２の展示効果を高めることができる。
【００５１】
また、本実施形態では、連結部２０と被連結部３０とをホルダ本体１０の長手方向からのみ連結可能としているため、複数の展示用ホルダ１を連結させた状態で全体を持ち上げた時に、連結部２０と被連結部３０との連結が外れて展示用ホルダ１が脱落してしまうことを防止することができ、複数の展示用ホルダ１の取り扱いを容易なものとすることができる。
【００５２】
また、展示用ホルダセット５とする際に、１０個の展示用ホルダ１を、上記のような向きの状態とすることで、可及的に狭い範囲に収納することが可能となり、１０個の展示用ホルダ１を収納する収納ケース６を可及的に小さくすることができる。従って、１０個の展示用ホルダ１を一組としている展示用ホルダセット５の容積を、小さく収めることができるため、展示用ホルダ１の搬送効率を高めることができ、より多くの展示用ホルダ１を提供し易くすることができる。
【００５３】
以上、本発明について好適な実施形態を挙げて説明したが、本発明は上記の実施形態に限定されるものではなく、本発明の要旨を逸脱しない範囲において、種々の改良及び設計の変更が可能である。
【００５４】
例えば、上記の実施形態では、連結部２０に溝状の部位を有すると共に、被連結部３０に溝状の部位に挿入される円柱状の部位を有したものを示したが、これに限定するものではなく、連結部２０に円柱状の部位を有し、被連結部３０に円柱状の部位が挿入される溝状の部位を有するようにしても良い。
【００５５】
また、上記の実施形態では、連結部２０の溝状の部位を、先端壁部１４及び立壁部１１における後方を向いている面に形成すると共に、被連結部３０の円柱状の部位を、立壁部１１の外側面から延出したＬ字状の先端に形成したものを示したが、これに限定するものではなく、連結部２０の溝状の部位を、先端壁部１４及び立壁部１１における前方を向いている面に形成すると共に、被連結部３０の円柱状の部位を、立壁部１１の外側面に形成するようにしても良い。
【００５６】
また、上記の実施形態では、連結部２０と被連結部３０とを、ホルダ本体１０の長手方向からのみ連結可能としたものを示したが、これに限定するものではなく、連結部２０又は被連結部３０が弾性変形することにより、上方又は下方からも連結可能としても良い。また、上記の実施形態では、連結部２０における溝状の部位として、断面が円弧状のものを示したが、これに限定するものではなく、断面が三角形状や多角形状のものとしても良い。
【００５７】
更に、上記の実施形態では、第一連結部２１と第一被連結部３１とを用いて、複数の展示用ホルダ１を長手方向へ連結させる例（パターンｅの例）を示したが、これに限定するものではなく、パターンｂのように第二連結部２２と第三被連結部３３とを用いても良いし、パターンｃのように第一連結部２１、第二連結部２２、第一被連結部３１、及び第三被連結部３３を用いても良いし、パターンｄのように第一連結部２１、第二連結部２２、第二被連結部３２、及び第三被連結部３３を用いても良い。
【００５８】
また、上記の実施形態の展示用ホルダ１は、店舗等での商品を展示するための展示等の商業用に限らず、自宅等での物品（展示品）を飾るための個人用としても良い。
【符号の説明】
【００５９】
１  展示用ホルダ
２  展示品
５  展示用ホルダセット
６  収納ケース
１０  ホルダ本体
１１  立壁部
１２  斜壁部
１３  係止壁部
１４  先端壁部
２０  連結部
２１  第一連結部
２２  第二連結部
３０  被連結部
３１  第一被連結部
３２  第二被連結部
３３  第三被連結部
【図１】
2018007698.tif 000003
【図２】
2018007698.tif 000004
【図３】
2018007698.tif 000005
【図４】
2018007698.tif 000006
【図５】
2018007698.tif 000007
【図６】
2018007698.tif 000008
【図７】
2018007698.tif 000009
【図８】
2018007698.tif 000010
【図９】
2018007698.tif 000011